(57)【要約】【課題】画像データを高品質で伝送可能な通信システム及びファクシミリ装置を提供する。【解決手段】通信システム１は、画像データの送受信を行う通信システムとして構成されている。通信システム１は、移動体通信端末１１と、インターネットファクシミリ装置１２ａ，１２ｂと、サーバ装置１４と、ファクシミリ装置１６を備える。移動体通信端末１１は、移動体通信事業者等が提供するインターネット接続サービスを利用して、接続された外部装置（例えば、パーソナルコンピュータや携帯情報端末）とインターネット８１との間で非音声データ通信を行わせることができる。インターネットファクシミリ装置１２は、移動体通信端末１１へ外部装置として接続するためのインターフェースを有しており、上述の非音声データ通信によりインターネット８１に接続された場合にも、インターネット８１を経由した画像データの送受信を行うことができる。【選択図】図１
2006279140.tif 000002
【特許請求の範囲】
【請求項１】
通信システムであって、
接続された外部装置とＩＰネットワークとの間で非音声データ通信を行わせる移動体通信端末と、
前記移動体通信端末へ前記外部装置として接続するためのインターフェースを有し、前記非音声データ通信により前記ＩＰネットワークに接続され、前記ＩＰネットワークを経由した画像データの送受信を行うファクシミリ装置と、
を備えることを特徴とする通信システム。
【請求項２】
請求項１に記載の通信システムにおいて、
前記ＩＰネットワークに接続され、前記ＩＰネットワークを経由した画像データの送受信を行うとともに、前記ファクシミリ装置を宛先とする画像データを蓄積するサーバ装置をさらに備え、
前記ファクシミリ装置が、前記ファクシミリ装置を宛先とする画像データを、前記ＩＰネットワークを経由して前記サーバ装置から取得することを特徴とする通信システム。
【請求項３】
請求項２に記載の通信システムにおいて、
前記ファクシミリ装置が、前記ファクシミリ装置を宛先とする画像データが前記サーバ装置に蓄積されているか否かを所定のタイミングで確認し、蓄積されている場合、前記ファクシミリ装置を宛先とする画像データを、前記ＩＰネットワークを経由して前記サーバ装置から取得することを特徴とする通信システム。
【請求項４】
請求項１ないし請求項３のいずれかに記載の通信システムにおいて、
前記サーバ装置が、一般公衆電話網に接続され、前記一般公衆電話網を経由した画像データの送受信を行うとともに、前記一般公衆電話網を経由した画像データの送受信と、前記ＩＰネットワークを経由した画像データの送受信との中継を行うことを特徴とする通信システム。
【請求項５】
請求項１ないし請求項４に記載の通信システムにおいて、
前記移動体通信端末の動作電力を、前記ファクシミリ装置から前記移動体通信端末へ供給することを特徴とする通信システム。
【請求項６】
請求項１ないし請求項５のいずれかに記載の通信システムにおいて、前記ＩＰネットワークがインターネットを含むことを特徴とする通信システム。
【請求項７】
請求項１ないし請求項６のいずれかに記載の通信システムにおいて、
前記非音声データ通信において、通信データ量に応じた課金がなされることを特徴とする通信システム。
【請求項８】
請求項１ないし請求項６のいずれかに記載の通信システムにおいて、
前記非音声データ通信の課金が定額制であることを特徴とする通信システム。
【請求項９】
ファクシミリ装置であって、
移動体通信端末へ接続するためのインターフェースを有し、移動体通信端末の非音声データ通信によりＩＰネットワークへ接続された場合に、前記ＩＰネットワークを経由した画像データの送受信を行うことが可能であることを特徴とするファクシミリ装置。
【発明の詳細な説明】
【技術分野】
【０００１】
本発明は、通信システム及びファクシミリ装置に関する。
【背景技術】
【０００２】
従来より、Ｇ３方式やスーパーＧ３方式に代表されるファクシミリ伝送では、可聴周波数のキャリアを伝送対象の画像データで変調し、変調により得られたファクシミリ信号の送受信を音声通信回線を用いて行っている。
【０００３】
ここで、当該音声通信回線を移動体通信で確保し、ファクシミリ伝送路を無線化することも検討されている。このような音声通信回線を利用したファクシミリ伝送の方式は、ファクシミリ信号を音声とみなして伝送を行うことから、「みなし音声方式」と呼ばれている。なお、移動体通信では、サンプリングされた音声信号を送信側で符号化して伝送し、符号化された音声信号を受信側で復号化しているが、伝送データ量を削減するために、符号化において所定の圧縮アルゴリズムを用いている。
【０００４】
なお、特許文献１は、電子メールの内容をファクシミリ装置で確認するための技術に関するものである。
【０００５】
【特許文献１】特開２００３−３７６３２号公報
【発明の開示】
【発明が解決しようとする課題】
【０００６】
しかし、先述の圧縮アルゴリズムは、音声に対して最適化されているので、ファクシミリ信号に対しては歪みを発生させ、ファクシミリ伝送の品質を低下させるという問題がある。
【０００７】
本発明はこの問題を解決するためになされたもので、画像データを高品質で伝送可能な通信システム及びファクシミリ装置を提供することを目的としている。
【課題を解決するための手段】
【０００８】
上記課題を解決するため、請求項１の発明は、通信システムであって、接続された外部装置とＩＰネットワークとの間で非音声データ通信を行わせる移動体通信端末と、前記移動体通信端末へ前記外部装置として接続するためのインターフェースを有し、前記非音声データ通信により前記ＩＰネットワークに接続され、前記ＩＰネットワークを経由した画像データの送受信を行うファクシミリ装置とを備える。
【０００９】
請求項２の発明は、請求項１に記載の通信システムにおいて、前記ＩＰネットワークに接続され、前記ＩＰネットワークを経由した画像データの送受信を行うとともに、前記ファクシミリ装置を宛先とする画像データを蓄積するサーバ装置をさらに備え、前記ファクシミリ装置が、前記ファクシミリ装置を宛先とする画像データを、前記ＩＰネットワークを経由して前記サーバ装置から取得する。
【００１０】
請求項３の発明は、請求項２に記載の通信システムにおいて、前記ファクシミリ装置が、前記ファクシミリ装置を宛先とする画像データが前記サーバ装置に蓄積されているか否かを所定のタイミングで確認し、蓄積されている場合、前記ファクシミリ装置を宛先とする画像データを、前記ＩＰネットワークを経由して前記サーバ装置から取得する。
【００１１】
請求項４の発明は、請求項１ないし請求項３のいずれかに記載の通信システムにおいて、前記サーバ装置が、一般公衆電話網に接続され、前記一般公衆電話網を経由した画像データの送受信を行うとともに、前記一般公衆電話網を経由した画像データの送受信と、前記ＩＰネットワークを経由した画像データの送受信との中継を行う。
【００１２】
請求項５の発明は、請求項１ないし請求項４に記載の通信システムにおいて、前記移動体通信端末の動作電力を、前記ファクシミリ装置から前記移動体通信端末へ供給する。
【００１３】
請求項６の発明は、請求項１ないし請求項５のいずれかに記載の通信システムにおいて、前記ＩＰネットワークがインターネットを含む。
【００１４】
請求項７の発明は、請求項１ないし請求項６のいずれかに記載の通信システムにおいて、前記非音声データ通信において、通信データ量に応じた課金がなされる。
【００１５】
請求項８の発明は、請求項１ないし請求項６のいずれかに記載の通信システムにおいて、前記非音声データ通信の課金が定額制である。
【００１６】
請求項９の発明は、ファクシミリ装置であって、移動体通信端末へ接続するためのインターフェースを有し、移動体通信端末の非音声データ通信によりＩＰネットワークへ接続された場合に、前記ＩＰネットワークを経由した画像データの送受信を行うことが可能である。
【発明の効果】
【００１７】
請求項１ないし請求項９の発明によれば、みなし音声方式によるファクシミリ伝送を行う必要がないので、画像データを高品質で伝送可能である。
【００１８】
請求項２の発明によれば、ファクシミリ装置がＩＰネットワークに接続されていないときに送信されてきた画像データを受信可能である。
【００１９】
請求項３の発明によれば、サーバ装置からの画像データの取得ごとに取得指示をファクシミリ装置に与える必要がなく、通信システムの利便性が向上する。
【００２０】
請求項４の発明によれば、サーバ装置の中継機能を利用することにより、一般公衆電話回線及びＩＰネットワークを経由した画像データの送受信をシームレスに行うことが可能である。
【００２１】
請求項５の発明によれば、移動体通信端末のバッテリ残量不足により画像データの送受信が妨げられることがないので、通信システムの利便性が向上する。
【００２２】
請求項７の発明によれば、ファクシミリ装置を待機状態でＩＰネットワークに接続していても課金が発生しないので、通信システムの運営コストが低下する。
【００２３】
請求項８の発明によれば、ファクシミリ装置をＩＰネットワークに常時接続していても課金が変化しないので、通信システムの運営コストが低下する。
【発明を実施するための最良の形態】
【００２４】
＜１  構成＞
＜１．１  通信システムの全体構成＞
図１は、本発明の実施形態に係る通信システム１の全体構成を示す図である。この通信システム１は、画像データの送受信を行う通信システムとして構成されている。
【００２５】
図１に示すように、通信システム１は、移動体通信端末１１と、インターネットファクシミリ装置１２ａ，１２ｂ（１２）と、サーバ装置１４と、ファクシミリ装置１６とを備える。なお、以下では、２つのインターネットファクシミリ装置を区別する必要があるときは、参照符合１２ａ，１２ｂを用い、区別する必要がないときは、参照符合１２を用いる。
【００２６】
移動体通信端末１１は、移動体通信事業者が提供する移動体通信サービスを利用するための端末であり、典型的には、携帯電話端末（ＰＨＳ（Personal Handyphone System）端末を含む）である。移動体通信端末１１は、移動体通信事業者等が提供するインターネット接続サービスを利用して、接続された外部装置（例えば、パーソナルコンピュータや携帯情報端末）とインターネット８１との間で非音声データ通信を行わせることができる。なお、ここでいう「非音声データ通信」とは、音声による変調・復調を伴わないデジタルデータ通信であり、望ましくは、パケット通信である。
【００２７】
インターネットファクシミリ装置１２は、一般公衆電話網（ＰＳＴＮ；Public Switched Telephone Networks）８２に接続された場合、周知のＧ３方式やスーパーＧ３方式等により、一般公衆電話網８２を経由した画像データの送受信すなわちファクシミリ伝送を行うことができるとともに、ＩＰ（Internet Protocol）ネットワークの典型的な一例であるインターネット８１にイーサネット（登録商標）等により接続された場合、インターネット８１を経由した画像データの送受信を行うことができる。このインターネット８１を経由した画像データの送受信は、TTC標準JT-T37にしたがい、画像データを添付した電子メールをＳＭＴＰ（Simple Mail Transfer Protocol ）により送受信することにより実現される。なお、インターネット８１を経由した画像データの送受信をこれ以外の方法で行うことも妨げられない。また、電子メールの送信に使用されるＳＭＴＰサーバは、インターネットファクシミリ装置１２の各々に実装してもよいし、インターネットファクシミリ装置１２から物理的に独立したコンピュータに実装してもよい。
【００２８】
加えて、インターネットファクシミリ装置１２は、移動体通信端末１１へ外部装置として接続するためのインターフェースを有しており、上述の非音声データ通信によりインターネット８１に接続された場合にも、インターネット８１を経由した画像データの送受信を行うことができる。このように、移動体通信端末１１の非音声データ通信によりインターネットファクシミリ装置１２をインターネット８１に接続した場合、みなし音声方式によるファクシミリ伝送を行う必要がないので、画像データをデジタルデータのまま高品質で伝送可能である。また、この場合、設置場所の制約を受けずに画像データの送受信を行うことができるという利点もある。
【００２９】
なお、通信システム１においては、インターネットファクシミリ装置１２ａが、移動体通信端末１１の非音声データ通信によりインターネット８１に実際に接続され、インターネットファクシミリ装置１２ｂが、イーサネット（登録商標）によりインターネット８１に実際に接続されているものとする。
【００３０】
サーバ装置１４は、インターネットファクシミリ装置１２と同様に、一般公衆電話網８２に接続された場合、周知のＧ３方式やスーパーＧ３方式等により、一般公衆電話網８２を経由した画像データの送受信すなわちファクシミリ伝送を行うことができるとともに、イーサネット（登録商標）等によりインターネット８１に接続された場合、インターネット８１を経由した画像データの送受信を行うことができる。そして、サーバ装置１４は、一般公衆電話網８２及びインターネット８１の両方に実際に接続され、一般公衆電話網８２を経由した画像データの送受信と、インターネットを経由した画像データの送受信との中継機能も有している。なお、サーバ装置１４は、メンテナンスが必要になった場合等の特段の事情がある場合を除いて、インターネット８１に常時接続されている。
【００３１】
さらに、サーバ装置１４は、インターネットファクシミリ装置１２を宛先とする、伝送対象の画像データを添付した電子メール（以下では、「画像添付電子メール」と略記する）を蓄積するサーバ装置１４（例えば、ＰＯＰ（Post Office Protocol）サーバ）としても機能している。したがって、通信システム１では、インターネットファクシミリ装置１２ａ，１２ｂの間の画像データの伝送は、サーバ装置１４を経由して画像添付電子メールを伝送することにより実現される。また、ファクシミリ装置１６からインターネットファクシミリ装置１２への画像データの伝送は、ファクシミリ装置１６からファクシミリ伝送されてきた画像データをサーバ装置１４が受信して復号化し、復号化済の画像データを電子メールに添付して画像添付電子メールとしてインターネットファクシミリ装置１２へ伝送することにより実現される。なお、インターネットファクシミリ装置１２からファクシミリ装置１６への画像データの伝送は、サーバ装置１４が、インターネットファクシミリ装置１２から伝送されてきた画像添付電子メールを受信し、当該画像添付電子メールに添付された画像データを符号化し、符号化済の画像データをファクシミリ装置１６へファクシミリ伝送することにより実現される。このようなサーバ装置１４の中継機能により、インターネットファクシミリ装置１２ａ（１２ｂ）から見れば、画像データの送受信の相手がインターネットファクシミリ装置１２ｂ（１２ａ）及びファクシミリ装置１６のいずれであっても、画像添付電子メールの送受信という同様の方法でシームレスに画像データの送受信を行うことが可能になる。
【００３２】
また、通信システム１では、サーバ装置１４の中継機能を用いることにより、インターネットファクシミリ装置１２ａがインターネット８１に接続されていないときに送信されてきた、ファクシミリ装置１６を宛先とする画像データを受信可能である。
【００３３】
＜１．２  インターネットファクシミリの構成＞
図２は、インターネットファクシミリ装置１２の構成を示すブロック図である。
【００３４】
図２に示すように、インターネットファクシミリ装置１２は、ＭＰＵ（マイクロプロセッサ；MicroProcessor Unit）１２１、ＲＯＭ１２２及びＲＡＭ１２３を備える。ＭＰＵ１２１、ＲＯＭ１２２及びＲＡＭ１２３によって実現されるコンピュータは、ＲＯＭ１２２に格納されたプログラムを実行することにより、インターネットファクシミリ装置１２の各構成を統括制御し、インターネットファクシミリ装置１２の各種機能を実現している。また、インターネットファクシミリ装置１２は、画像データの記憶に用いられる画像メモリ１２４を備えている。
【００３５】
インターネットファクシミリ装置１２のＮＣＵ（網制御装置；Network Control Unit）１２５及びＭＯＤＥＭ（モデム；MOdulator DEModulator）１２６は、一般公衆電話網８２を経由した画像データの送受信に用いられる。ＮＣＵ１２５は、一般公衆電話網８２への接続を制御する。ＮＣＵ１２５は、通信先の電話番号に対応したダイヤル信号を送出する機能及び着信を検出する機能を備える。ＭＯＤＥＭ１２６は、ＩＴＵ（国際電気通信連合）−Ｔ勧告Ｔ.３０にしたがったファクシミリ伝送制御手順に基づいて、Ｖ．１７，Ｖ．２７ｔｅｒ，Ｖ．２９等にしたがった送信データの変調及び受信データの復調を行う。又は、ＭＯＤＥＭ１２６は、これらに加えて、Ｖ．３７にしたがった送信データの変調及び受信データの復調を行う。ＭＯＤＥＭ１２６によって変調された送信データは、ＮＣＵ１２５を経由して一般公衆電話網８２へ送出される。また、ＭＯＤＥＭ１２６が復調を行う受信データは、ＮＣＵ１２５を経由して一般公衆電話網８２から与えられる。なお、図１に示す通信システム１では、インターネットファクシミリ装置１２のうち、インターネットファクシミリ装置１２のＮＣＵ１２５のみが、一般公衆電話網８２に接続されている。
【００３６】
ネットワークインターフェース１２７は、インターネット８１を経由した画像データの送受信に用いられる。ネットワークインターフェース１２７は、インターネットファクシミリ装置１２をＴＣＰ／ＩＰを用いてイーサネット（登録商標）によりインターネット８１に接続するためのインターフェースである。もちろん、ネットワークインターフェース１２７とインターネット８１との間に、ハブやルータ等のネットワーク機器が介在することも妨げられない。
【００３７】
移動体通信端末インターフェース１２８は、インターネット８１を経由した画像データの送受信に用いられる。移動体通信端末インターフェース１２８における移動体通信端末１１の接続形態は制限されないが、例えば、インターネットファクシミリ装置１２の側にＰＣカードスロットを設け、当該ＰＣカードスロットにＰＣカード型の移動体通信端末１１を挿入することにより、インターネットファクシミリ装置１２と移動体通信端末１１とをＴＣＰ／ＩＰを用いて接続することが望ましい。この場合、移動体通信端末１１の動作電力を、インターネットファクシミリ装置１２から移動体通信端末１１へ供給するようにすれば、移動体通信端末１１のバッテリ残量不足により画像データの送受信が妨げられることがなくなり、通信システム１の利便性が向上する。ただし、内蔵されたバッテリから供給される電力により動作する移動体通信端末１１を用いて、移動体通信端末１１とインターネットファクシミリ装置１２とをケーブル接続することも妨げられない。なお、図１に示す通信システム１では、インターネットファクシミリ装置１２ａ，１２ｂのうち、インターネットファクシミリ装置１２ａの移動体通信端末インターフェース１２８のみが、移動体通信端末１１に接続されている。
【００３８】
インターネットファクシミリ装置１２は、画像読取部１２９及び画像記録部１３０を備える。画像読取部１２９は、ＣＣＤ（Charge Coupled Device）イメージセンサ等により画像を読み取り、当該画像に係る画像データを生成する。また、画像記録部１３０は、電子写真方式により記録媒体上に画像データに係る画像を形成する。インターネットファクシミリ装置１２では、画像読取部１２９により生成された画像データが通信システム１における伝送の対象となり、伝送されてきた画像データに係る画像が画像記録部１３０により記録媒体上に形成される。
【００３９】
インターネットファクシミリ装置１２には、ユーザインターフェースとして、操作部１３１及び表示部１３２が設けられる。操作部１３１は、メカニカルスイッチ等の操作者の操作を検出可能な部材を含んで構成され、表示部１３２は、液晶ディスプレイ等の表示用の部材を含んで構成される。
【００４０】
＜１．３  サーバ装置の構成＞
図３は、サーバ装置１４の構成を示すブロック図である。
【００４１】
図３に示すように、サーバ装置１４は、インターネットファクシミリ装置１２と同様に、ＭＰＵ１４１、ＲＯＭ１４２、ＲＡＭ１４３、画像メモリ１４４、ＮＣＵ１４５、ＭＯＤＥＭ１４６、ネットワークインターフェース１４７、画像読取部１４９、画像記録部１５０、操作部１５１及び表示部１５２を備え、それ自身がインターネットファクシミリ装置としても機能している。ＭＰＵ１３１、ＲＯＭ１３２及びＲＡＭ１３３によって実現されるコンピュータは、ＲＯＭ１３２に格納されたプログラムを実行することにより、サーバ装置１４の各構成を統括制御し、サーバ装置１４の各種機能を実現している。
【００４２】
さらに、サーバ装置１４には、インターネットファクシミリ装置１２を宛先とする画像添付電子メールを蓄積する電子メール蓄積部１５３が設けられている。この電子メール蓄積部１５３は、フラッシュメモリやハードディスクドライブ等の記憶デバイスによって実現されている。
【００４３】
＜２  動作＞
図４は、インターネットファクシミリ装置１２ａが、自装置を宛先とする画像添付電子メールを、インターネット８１を経由してサーバ装置１４から取得する場合の動作について説明する図である。ここで、インターネットファクシミリ装置１２ａを宛先とする画像添付電子メールには、一般公衆電話網８２を経由してファクシミリ装置１６から伝送されてきた画像データに基づいて生成されたものと、インターネット８１を経由してインターネットファクシミリ装置１２ｂから伝送されてきたものとがあるが、インターネットファクシミリ装置１２ａは、これらの両方をインターネットファクシミリ装置１２から取得することになる。
【００４４】
図４に示すように、インターネットファクシミリ装置１２ａは、自装置を宛先とする画像添付電子メールを、インターネット８１を経由してサーバ装置１４から取得する場合、自装置を宛先とする画像添付電子メールの有無を問い合わせるコマンドをサーバ装置１４へ送信し、これに応答して、サーバ装置１４は、電子メール蓄積部１５３に蓄積している画像添付電子メールのリストをインターネットファクシミリ装置１２ａへ送信する。
【００４５】
続いて、インターネットファクシミリ装置１２ａは、当該リストを参照して、自装置を宛先とする画像添付電子メールが存在しない場合、そのまま処理を終了し、存在する場合、自装置を宛先とする画像添付電子メールの転送を要求するコマンドをサーバ装置１４へ送信する。そして、サーバ装置１４は、これに応答して、電子メール蓄積部１５３に蓄積している画像添付電子メールをインターネットファクシミリ装置１２ａへ送信する。
【００４６】
このような処理は、インターネットファクシミリ装置１２ａにおいてあらかじめ設定された時間間隔で自動的に実行される。すなわち、インターネットファクシミリ装置１２ａは、自装置を宛先とする画像添付電子メールがサーバ装置１４に蓄積されているか否かを所定のタイミングで確認し、蓄積されている場合、自装置を宛先とする画像添付電子メールを、インターネット８１を経由してサーバ装置１４から自動的に取得することになる。これにより、サーバ装置１４からの画像添付電子メールの取得ごとに取得指示をインターネットファクシミリ装置１２に与える必要がなくなり、通信システム１の利便性が向上する。
【００４７】
なお、このような処理を行うにあたっては、インターネットファクシミリ装置１２ａがＴＣＰ／ＩＰを用いてインターネット８１に接続されている必要があるが、当該接続は、自装置を宛先とする画像添付電子メールをサーバ装置１４から取得するたびごとに確立してもよいし、常時確立された状態にしておいてもよい。後者の場合、先述の非音声データ通信において、接続が確立された時間に応じた課金を行う移動体通信サービスやインターネット接続サービスではなく、通信データ量に応じた課金がなされる移動体通信サービスやインターネット接続サービスを用いれば、インターネットファクシミリ装置１２ａを待機状態でインターネット８１に接続していても課金が発生しないので、通信システム１の運営コストを低下させることができる。さらに望ましくは、非音声データ通信の課金が定額制の移動体通信サービスやインターネット接続サービスを用いれば、インターネットファクシミリ装置１２ａをインターネット８１に常時接続していても課金が変化しないので、通信システム１の運営コストを低下させることができる。
【００４８】
＜３  変形例＞
上述の説明では、ふたつのインターネットファクシミリ装置１２ａ，１２ｂと、ひとつのサーバ装置１４と、ひとつのファクシミリ装置１６とが通信システム１に含まれる例を示したが、これらの装置の数はこの例に制限されない。
【００４９】
また、上述の実施形態では、インターネットファクシミリ装置１２がファクシミリ専用機であるとして説明を行ったが、インターネットファクシミリ装置１２がコピー機能、プリンタ機能、スキャナ機能等をも併せ持つ複合機であってもよい。
【図面の簡単な説明】
【００５０】
【図１】本発明の実施形態に係る通信システム１の全体構成を示す図である。
【図２】インターネットファクシミリ装置１２の構成を示すブロック図である。
【図３】サーバ装置１４の構成を示すブロック図である。
【図４】インターネットファクシミリ装置１２ａが、自装置を宛先とする画像添付電子メールを、インターネット８１を経由してサーバ装置１４から取得する場合の動作について説明する図である。
【符号の説明】
【００５１】
１  通信システム
１１  移動体通信端末
１２，１２ａ，１２ｂ  インターネットファクシミリ装置
１４  サーバ装置
１６  ファクシミリ装置
８１  インターネット
８２  一般公衆電話網
１２７  ネットワークインターフェース
１２８  移動体通信端末インターフェース
１５３  電子メール蓄積部
【図１】
2006279140.tif 000003
【図２】
2006279140.tif 000004
【図３】
2006279140.tif 000005
【図４】
2006279140.tif 000006